(57)【特許請求の範囲】
【請求項１】
上面、底面、前端および後端を有するボードと；
上面に位置し、ボードを平坦走行位置に維持および付勢するようにバランスをとる位置および構造のサーファ人形と；
無線受信機と、制御装置とモータを収容するための、サーフボードの内部の小室と；
ボードの後部の近くに位置する駆動プロペラと；
プロペラとボードの後部との間に位置する方向舵とを備え、
ボードの底部は、現寸のサーフボードと同じように波を受ける形状を有することを特徴とする、
無線制御玩具のサーフボードまたはボディーボード。
【請求項２】
上面、底面、前端、後端を有するボードと；
上面に位置し、ボードを平坦走行位置に維持および付勢するようにバランスをとる位置および構造のサーファ人形と；
無線受信機と、制御装置とモータを収容するための、サーフボードの内部の小室と；
ボードの後部の近くに位置する駆動プロペラと；
プロペラとボードの後部との間に位置する方向舵とを備え、
ボードの底面は上に向けて湾曲した前端部を有する形状であり、断面は扁平柱形であり、中心部分には、二本の凹チャンネルを有し、各エッジには段付きのランナを有し、後部に隣接して比較的平坦な部分を有し、波を現寸のサーフボードと同じように受けることができることを特徴とする、
無線制御玩具のサーフボードまたはボディーボード。
【請求項３】
上面、底面、前端、後端を有するボードと；
上面に位置し、ボードを平坦走行位置に維持および付勢するようにバランスをとる位置および構造のサーファ人形と；
無線受信機と、制御装置とモータを収容するための、サーフボードの内部の小室と；
ボードの後部の近くに位置する駆動プロペラと；
プロペラとボードの後部との間に位置する方向舵とを備え、
ボードの底面は、上に向けて湾曲した前端部を有する形状であり、断面は扁平柱形であり、中心部分にボードに沿ってボードの外へ延びる楕円形状の起伏面を有し、二本の凹チャンネルがそれに沿って延び、ボードの各エッジには段付きのランナを有し、楕円形状の起伏面の後部に隣接して小型のフィンが位置し、後部に隣接して比較的平坦な部分を有し、波を現寸のサーフボードと同じように受けることができることを特徴とする、
無線制御玩具のサーフボードまたはボディーボード。
【請求項４】
ボードの底面が、上に向けて湾曲した前端部を有し、断面が扁平柱形であり、ボードに沿ってボードの外へ延びる涙滴形状の起伏面を有する中心部分と、それに沿って延びる二本の凹チャンネルと、ボードの後部まで延びてそこで開口している、ボードのエッジに位置する段付きランナと、後部に隣接する比較的平坦な部分を有することを特徴とする請求項１に記載の無線制御玩具のボディーボード。
【請求項５】
小室がボードの上部から接近可能であり、サーファが載置されている蓋板によって解放可能に密閉されており、前記小室の前方には無線制御受信機と、舵取りおよび速度操作サーボモータが取り付けられており、中央部にはプロペラを駆動するためのモータと、後方には電力供給源としてのバッテリを有することを特徴とする、先行する請求項のいずれか１項に記載の無線制御玩具サーフボードまたはボディボード。
【請求項６】
モータがモータの回りに取り付けたコイルによる水冷式であり、ボードが水の中を移動すると、水がコイルの中を流れてモータを冷却するようにボードの前方を向いて位置した入口を有することを特徴とする請求項５に記載の無線制御玩具のサーフボードまたはボディーボード。
【請求項７】
方向舵が、三方向に分かれた羽根がその内部からプロペラに向かって前方に延びる外環を有し、三方向に分かれた羽根の１本のアームは他の２本のアームに対して垂直であり、他の２本のアームは、垂直方向のアームの底部に沿って延びていることを特徴とする、先行する請求項のいずれか１項に記載の無線制御玩具のサーフボードまたはボディボード。
【請求項８】
方向舵が二方向に分かれており、その二本のアームはボードの底から離れる方向に、また、互いに離れる方向に延びており、その自由端は、互いに離れる方向に、また、それぞれのアームの面に対して角度をなして外側方向に延びていることを特徴とする請求項１から６のいずれか一つに記載の無線制御玩具のサーフボードまたはボディボード。
【請求項９】
サーファが水より低い密度を有することを特徴とする、先行する請求項のいずれか１項に記載の無線制御玩具のサーフボードまたはボディーボード。
【請求項１０】
サーファがボード上にヒンジ式に取り付けられ、サーフィン位置に戻るように付勢がかけてあり、ボードの有効な回転を助けるよう、ボードが動いている間に揺動し、元のサーフィン位置に復帰するように構成されていることを特徴とする、先行する請求項のいずれか１項に記載の無線制御玩具のサーフボードまたはボディボード。
【請求項１１】
サーファの脚部がボードの後ろ方向に延びており、ボードの面に対して横方向に揺動するようにボードに揺動式に連接されていることを特徴とする、先行する請求項のいずれか１項に記載の無線制御玩具のボディボード。
【発明の詳細な説明】
本発明は、無線制御玩具のサーフボードまたはボディーボードに関するものであり、特に、サーファが載せられている無線制御のサーフボードまたはボディーボードに関する。
自動車、飛行機およびボートのような無線制御玩具はよく知られている。しかし、これらの玩具は、車輪またはプロペラに動力を加えることによって、また、玩具の車、または飛行機の補助尾翼の方向舵、またはボートの方向舵を回転させることによってかじ取りして、すべて本物の自動車、飛行機、またはボートと同様に動くように制御される。従って、「本物の」乗り物の構成要素の寸法を縮小して玩具の乗り物を操作するのは、比較的簡単なことである。
しかし、サーフボードライディングの場合、ボードはまず、サーファがボードの上に横になり、あるいは膝をつき、腕でパドリングして波を捕まえるのに十分な速度まで上げる。次にサーファが立ち上がり、彼の体重とボードに沿った体の動きによってボードを回転させ、波の上の位置を保ったり、あるいは波から離れたりする。従って、「本物の」サーフボードと同じように動く玩具のサーフボードを作るのは単純な作業ではない。
本発明は、「本物の」サーフボードによるものと同じように波の上でうまく操ることができる無線制御玩具のサーフボードを提供することによってこの問題を改善した。
一つのボード形態において、本発明は：
上面、底面、前端、尾端を有するボードと；
上面に位置し、ボードと平坦走行位置に維持しおよび付勢するようにバランスをとる位置および構造のサーファ人形と；
無線受信機と、制御装置とモータを収容するためのサーフボードの内部の小室と；
ボードの後部の近くに位置する駆動プロペラと；
プロペラとボードの後部との間に位置する方向舵とを備え、
ボードの底部は、現寸のサーフボードと同じように波を受ける形状を有することを特徴とする無線制御玩具のサーフボードまたはボディーボードを含む。
もう一つの形態において本発明は：
上面、底面、前端、後端を有するボードと；
上面に位置し、ボードを平坦走行位置に維持および付勢するようにバランスをとる位置および構造のサーファ人形と；
無線受信機と、制御装置とモータを収容するための、サーフボードの内部の小室と；
ボードの後部の近くに位置する駆動プロペラと；
プロペラとボードの後部との間に位置する方向舵とを備え、
ボードの底面は、上に向けて湾曲した前端部を有する形状であり、断面が扁平柱形であり、中心部分には二本の凹チャンネルを有し、各エッジには段付きのランナを有し、後部に隣接して比較的平坦な部分を有し、波を現寸のサーフボードと同じように受けることができることを特徴とする無線制御玩具のサーフボードまたはボディーボードを含む。
さらにもう一つの形態において本発明は、
上面、底面、前端、後端を有するボードと；
上面に位置し、ボードを平坦走行位置に維持および付勢するようにバランスをとる位置および構造のサーファ人形と；
無線受信機と、制御装置とモータを収容するためのサーフボードの内部の小室と；
ボードの後部の近くに位置する駆動プロペラと；
プロペラとボードの後部との間に位置する方向舵とを備え、
ボードの底面は、上に向けて湾曲した前端部を有する形状であり、断面は扁平柱形であり、中心部分がボードに沿ってボードの外へ延びる楕円形状の起伏面を有し、二本の凹チャンネルがそれに沿って延び、ボードの各エッジには段付きのランナを有し、楕円形状の起伏面の後部に隣接して小型のフィンが位置し、後部に隣接して比較的平坦な部分を有し、波を現寸のサーフボードと同じように受けることができることを特徴とする、無線制御玩具のサーフボードまたはボディーボードを含む。
方向舵は、三つの羽根型の細長いスポークが環の中からその環を超えてプロペラに向かってプロペラに並ぶように延びている外環を含むのが好ましい。
本発明について、添付の図面に従って説明する。
図１は、本発明の一つの実施形態による無線制御玩具のサーフボードの斜視図である。
図２は、図１に示した無線制御玩具のサーフボードの誘導および電源系統のための空隙を示す図である。
図３は、図１に示した玩具のサーフボードの底面図である。
図４は、図１に示した玩具のサーフボードの側面図である。
図５は、図３に示した玩具のサーフボードを矢印Ｖ−Ｖに沿って切って見た断面図である。
図６は、図３に示した玩具のサーフボードを矢印VI-VIに沿って切って見た断面図である。
図７は、図３に示した玩具のサーフボードを矢印VII-VIIに沿って切って見た断面図である。
図８は、図３に示した玩具のサーフボードを矢印VIII-VIIIに沿って切って見た断面図である。
図９は、図１に示した玩具のサーフボードの後部下側の拡大図である。
図１０は、図１に示した玩具のサーフボードのサーファ人形と空隙の蓋板の部分切り取り図である。
図１１は、上蓋板とサーファ人形を取り除いた、本発明のもう一つの実施形態による玩具のサーフボードの底面図である。
図１２は、図１１に示したサーフボードの側面図である。
図１３は、図１１に示した玩具のサーフボードを矢印ＸIII-ＸIIIの方向に沿って切って見た断面図である。
図１４は、図１１に示した玩具のサーフボードを矢印ＸIV-ＸIVの方向に沿って切って見た断面図である。
図１５は、図１１に示した玩具のサーフボードを矢印ＸＶ-ＸＶの方向に沿って切って見た断面図である。
図１６は、図１１に示した玩具のサーフボードを矢印ＸVI-ＸVIの方向に沿って切って見た断面図である。
図１７は、本発明のもう一つの実施形態による無線制御玩具のボディボードの斜視図である。
図１８は、図１７に示した無線制御玩具のボディボードの平面図である。
図１９は、図１７に示した無線制御玩具のボディボードの側面図である。
図１に示すように、無線制御玩具のサーフボード（１）は、空隙（５）の上部に位置してそれを密閉している蓋板（４）の上にサーファ人形（３）が取り付けられている細長いサーフボード本体（２）を含む。サーファ人形（３）は図示の如く、腰をかがめた態勢で位置しているのが好ましい。美的感覚とは別に、サーファ人形（３）は、サーフボード本体を平衡状態に保つという、サーフボード本体（２）が平坦走行するための本質的な機能を備えている。さらに、サーファ人形（３）は、中空であるか、もしくは水より密度の低い材料からなり、ボード（２）がひっくり返りそうになった時にサーファ人形（３）の浮揚力がボード（２）を元の状態に復元する。
この性能を補助するため、サーファ人形（３）は、衝撃を吸収し、本物らしい外観を呈するために図１０に示すように蓋板（４）にヒンジ式に取り付けてある。図示の如く、人形（３）は、ピン（７）の上の輪ゴム（６）によって付勢されて蓋板（４）の上の支柱（８）に取り付けられており、ボード本体（２）が動いている間にサーファ人形（３）が揺動し、元の位置に撥ね戻って、効果的な回転を助け、ボード本体（２）がひっくり返った場合にボードを元に戻すことができるようにする。これは、ステンレス鋼のばねのような、適当なヒンジシステムに置き換えることもできる。
ボード本体（２）の好ましい形状を図３から８に示している。図４に示すように、ボード本体（２）の前部（８）は先が上方に曲がっており、その輪郭は図５に示すようにカーブしている。ボード本体（２）の下方には、小さく、先のとがっていないキール（９）がボード本体の中心に沿って延びており、プロペラ（１０）のハウジング（１１）を形成している。キール（９）は、ボード本体（２）が水の中で円滑に回転するのを補佐できるよう、ゆるやかにカーブしているのが好ましい。
図６および７に示すように、ボード本体（２）の中央部分（１２）に沿って、先の尖っていないキール（９）の両側に凹チャンネルが広がっている。また、図３、４、および７に示すように、中央部分（１２）に隣接するエッジ（１４）に沿って段付きのランナ（１３）が延びている。ボディーボードの本体（２）が波を横切って円滑に走行するのを助けるよう、傾斜の変化はそれぞれ円滑であるのが好ましい。
回転しやすいように、後部（１４）は、図８に示すように比較的平坦な底を有する。舵取りおよび推進システムもボード本体（２）の後部（１４）に位置している。図３、４、および９に示すように、プロペラ（１０）が、先の尖っていないキール（９）の延長部分であるハウジング（１１）から延びている。後部（１４）の端部に隣接して位置するのは、特別な形状の方向舵（１５）である。方向舵（１５）は、三方向に分かれた羽根を備えた環状部材（１６）を含む。環状部材（１６）は、プロペラ（１０）に向かって延びる垂直方向を向いた細長い羽根（１７）と、互いに約１２０°の方向に延び、垂直羽根（１７）の底に沿って延びる２枚の羽根（１８および１９）を有する。２枚の羽根（１８および１９）の形状は三角形であり、垂直方向の羽根（１７）はいくぶん平行四辺形のような形状であるのが好ましい。方向舵（１５）は軸（２０）で回転する。プロペラガード（２１）は環状部材（１６）からハウジング（１１）へと延びる。この形状の方向舵は玩具のサーフボードを有効に方向制御するということがわかった。
図２に示すように、制御および推進システムが空隙（５）に取り付けてある。水平走行と有効な回転を助けるため、バッテリー（２２）は空隙の後部に位置させるのが好ましい。玩具のサーフボード（１）は、図９に示すような入口（２５）と出口（２６）を備えたコイル（２４）を有する水冷式の適当な電気モータ（２３）によって電力が供給され、玩具のサーフボード（１）が水上を走行すると水がコイル２４を通って流れるようにされている。図示の実施形態では、モータ（２３）は直接プロペラ軸（３１）に連結されている。
無線制御受信機（３０）および運転機構（２８および２９）は、空隙（５）の前方に位置している。プッシュロッド（２７）は運転機構（２８）から方向舵（１５）に堅固に連結されたレバー（図示せず）に連結されている。もう一つの運転機構（２９）はモータ（２３）の速度を制御する。アンテナはサーファ人形（３）に接続するか、もしくはそれと一体式に形成するか、あるいは自由に立ててもよい。
サーフィンでは、ボードが平坦走行し、有効に回転できるように、ボードの底部の形状に対する構成要素の重量の配分が正しいことが重要である。
玩具のサーフボードのさらにもう一つの実施形態を図１１から１６に示している。この実施形態では、ボード本体（２）の前部（８）がやはり上方に曲がっており、輪郭がカーブしており、図１３に示すような小さいキール（３２）を備えている。さらに、ボード本体（２）に沿って、楕円形の隆起面（３３）がボード本体（２）の下側の中央部分（１２）から突出している。二つの凹チャンネル（３４）が図１４および１５に示すように楕円形の隆起面（３３）に沿ってキール（９）の両側を通っている。すなわち、キール（９）はボードに沿って続いてプロペラ（１０）用のハウジング（１１）を形成している。小さいフィン（３５）がハウジング（１１）から突出している。図１１および１５に示すように、楕円形の隆起面（３３）の後部に近くに、段付きのランナ（１３）がエッジ（１４）の下に位置している。
この実施形態においては、互いに角度をなしたアーム（３８）を有する二方向に分かれた方向舵（３６）を使用しており、アーム（３８）の自由端（３７）は、アーム（３８）の面と角度をなして外側に向かって突出している。前述の実施形態で使用したものと類似したプロペラガードを使用してもよい。艇体とプロペラの形状以外は、本実施形態は、前述の実施形態と同様の構成である。
図１７から１９に示したさらにもう一つの実施形態では、本発明を無線制御のボディボード玩具に適用している。ボードの下側は前に説明した実施形態に類似していてもよい。しかし、本実施形態では、キール（３９）はボード本体（２）の下側の面から突出した、涙滴形状の隆起面（４０）であり、前の実施形態の楕円形の隆起面（３３）と類似した構成である。段付きランナ（１３）はボードのほぼ中央からボードの後部まで、エッジに隣接して延びている。
ボードの空隙の中の構成要素の配置は前の実施形態と類似している。人形（３）は、蓋板（４）上に立っているというより、蓋板（４）の上に横臥した姿勢で位置しており、脚（４１）は蓋板（４）に揺動自在に取り付けられ、ボードが水の中で回転すると脚（４１）が横方向に動くように構成されている。
本発明の精神と範囲を逸脱せずに、ここで説明した実施形態に水噴射推進システムやケーブル操作制御装置を使うなどのような変化や変更が可能であることは、当業者によって明白であろう。
【図１】
0003775606.tif 000002
【図２】
0003775606.tif 000003
【図３】
0003775606.tif 000004
【図４】
0003775606.tif 000005
【図５】
0003775606.tif 000006
【図６】
0003775606.tif 000007
【図７】
0003775606.tif 000008
【図８】
0003775606.tif 000009
【図９】
0003775606.tif 000010
【図１０】
0003775606.tif 000011
【図１１】
0003775606.tif 000012
【図１２】
0003775606.tif 000013
【図１３】
0003775606.tif 000014
【図１４】
0003775606.tif 000015
【図１５】
0003775606.tif 000016
【図１６】
0003775606.tif 000017
【図１７】
0003775606.tif 000018
【図１８】
0003775606.tif 000019
【図１９】
0003775606.tif 000020